(57)【要約】【課題】ランナ分岐位置での摺動面の摩耗をなくした射出成形方法および射出成形機用金型装置を提供する。【解決手段】スプル２１とキャビティ２０との間に、スプル２１から分岐した第１及び第２のランナ２３，２４，２４を設けると共に、第１ランナ２３に続く第１ゲートＧ１と、第２ランナ２４，２４に続く第２ゲートＧ２，Ｇ２をキャビティ２０に設ける。第１ゲートＧ１からキャビティ２０内に充填した溶融材料の流頭が、第２ゲートＧ２，Ｇ２を通過した後に、第２ゲートＧ２，Ｇ２からキャビティ２０内に溶融材料の注入を開始し、以下順番にこの充填タイミングで降順位のゲートから溶融材料を順次に注入する。ランナ分岐位置にはランナ切替用部材２５が前進・後退可能に配置され、複数のランナのうち、ランナ切替用部材２５の前進状態で閉じられていたランナを、ランナ切替用部材を後退させることにより開放して、各ゲートの充填タイミングの切替えを行う。成形品離型時には、分岐位置に残留し固化した材料は排出される。【選択図】  図１
2005178037.tif 000002
【特許請求の範囲】
【請求項１】
スプルとキャビティとの間に、スプルから分岐した複数のランナを設けると共に、前記複数のランナに夫々続く複数のゲートをキャビティに設け、第１番目のゲートからキャビティ内に充填した溶融材料の流頭が、第２番目のゲートを通過した後に、第２番目のゲートからキャビティ内に溶融材料の注入を開始し、以下順番にこの充填タイミングで降順位のゲートから溶融材料を順次に注入する射出成形方法であって、
前記分岐位置にランナ切替用部材が前進・後退可能に配置され、前進位置では１つのランナは開かれており、ランナ切替用部材を後退させることにより閉じられていたランナを開放し、各ゲートの充填タイミングを切替えることを特徴とする射出成形方法。
【請求項２】
前記ランナ切替用部材を更に前進させることにより、成形品離型時に前記分岐位置に残留し固化した材料を排出させる、請求項１記載の射出成形方法。
【請求項３】
前記固化した材料が、ガラス繊維、炭素繊維、及び無機フィラーの何れかを含む、請求項２記載の射出成形方法。
【請求項４】
スクリュの位置を検出する検出手段を設け、この検出手段によってスクリュの位置が予め定めた切換位置に達したときに、前記ランナ切替用部材を後退させる、請求項１〜３の何れかに記載の射出成形方法。
【請求項５】
ランナ切替えタイミングを計測するタイマを設け、このタイマによって計測されたランナ切替えタイミング時に前記ランナ切替用部材を後退させる、請求項１〜３の何れかに記載の射出成形方法。
【請求項６】
スプルとキャビティとの間に、スプルから分岐した複数のランナを設けると共に、前記複数のランナに夫々続く複数のゲートをキャビティに設け、第１番目のゲートからキャビティ内に充填した溶融材料の流頭が、第２番目のゲートを通過した後に、第２番目のゲートからキャビティ内に溶融材料の注入を開始し、以下順番にこの充填タイミングで降順位のゲートから溶融材料を順次に注入する射出成形機用金型装置であって、
前記分岐位置で前進・後退可能に配置されたランナ切替用部材と、
ランナ切替用部材が前進位置に位置するときは１つのランナは開かれており、ランナ切替用部材を後退させることにより閉じられていたランナを開放し、各ゲートの充填タイミングの切替えを制御する制御手段と、
を有することを特徴とする射出成形機用金型装置。
【請求項７】
前記ランナ切替用部材を更に前進させることにより、成形品離型時に前記分岐位置に残留し固化した材料を排出させる、請求項６記載の射出成形機用金型装置。
【請求項８】
前記固化した材料が、ガラス繊維、炭素繊維、及び無機フィラーの何れかを含む、請求項７記載の射出成形機用金型装置。
【請求項９】
スクリュの位置を検出する検出手段を設け、この検出手段によってスクリュの位置が予め定めた切換位置に達したときに、前記制御手段は前記ランナ切替用部材を後退させるように制御する、請求項６〜８の何れかに記載の射出成形機用金型装置。
【請求項１０】
ランナ切替えタイミングを計測するタイマを設け、このタイマによって計測されたランナ切替えタイミング時に前記制御手段は前記ランナ切替用部材を後退させるように制御する、請求項６〜８の何れかに記載の射出成形機用金型装置。
【発明の詳細な説明】
【技術分野】
【０００１】
本発明は、樹脂製品の射出成形方法及び射出成形機用金型装置に関し、特に、溶融材料の充填孔を複数有する多点ゲート式の金型を用いて、比較的薄肉で大型な樹脂成形品の成形を行うに適した射出成形方法及び射出成形機用金型装置に関する。
【背景技術】
【０００２】
一般にＴＶキャビネットや、コンピュータディスプレイ及び、自動車のバンパーなど、その大きさに対して比較的肉厚が薄く、大型の樹脂成形品を射出成形にて成形を行う場合、樹脂をキャビティ全体に過不足なく行き渡らせる為に複数のゲートから樹脂を注入するいわゆる多点ゲート方式が公知である。
【０００３】
この方式の場合、複数のゲートから同時に樹脂をキャビティに注入すると、各ゲートからの樹脂が合流する位置に於いて、溝状の外観不良であるウェルドラインが発生するという欠点がある。このウェルドラインは、成形品に形成されると強度がこの部分で小さくなり、破断しやすくなったり、また、外観上からも、溝状の後が残るため、好ましくない。また、このウェルドラインを生じさせない為に、１点のゲートのみで充填すると、末端まで十分な圧力が伝わらないため、充填が不十分であったり、流動末端部にヒケが生じる。さらには、ゲート部と流動末端部の圧力の差が大きいため、樹脂の収縮が不均一となり、反り変形が生じやすくなる。
【０００４】
このため、このような欠点を解消する射出成形法として、キャビティに接続した多点ゲートの注入順位をあらかじめ定めておき、第１番目のゲートからキャビティ内に注入された溶融樹脂の流頭が、第２番目のゲートの位置に達した後に第２番目のゲートから樹脂を注入する成形法が、知られている（例えば特開平１１−３４８０７８号公報、特開平７−１４４３４０号公報）。
【特許文献１】特開平１１−３４８０７８号公報
【特許文献２】特開平７−１４４３４０号公報
【発明の開示】
【発明が解決しようとする課題】
【０００５】
しかし、上記特許文献１、２に記載の成形法は、バルブの開閉制御、及びゲートピンの開閉を制御することにより行われている。従って、溶融材料がガラス繊維を含有している場合には、バルブ開閉に伴う摺動部や、ゲートとゲートピンとの隙間にガラス繊維が入り込み、このような状態で開閉摺動すると、バルブやゲートにおける摺動部の摩耗の原因となる。そして、摩耗が大きくなると、バルブ内周囲と摺動部との隙間や、ゲートとゲートピンとの隙間が大きくなり、溶融材料の充填の制御ができなくなる。その結果、成形品にウェルドラインが発生したり、ヒケや、反り変形が生じる。
【０００６】
要約すれば、特許文献１、２に記載の成形法は、あくまでも、ガラス繊維を含有しない溶融材料を用いる場合に適用される成形法であって、ガラス繊維を含有する溶融材料を用いる場合は不良成形品が生じるため、現実的には使用できないという課題がある。
【０００７】
本発明は、上記の実情を鑑みて考え出されたものであり、その目的は、ガラス繊維を含有する溶融材料を用いた場合でも、ランナ分岐位置での摺動面の摩耗をなくし、ウェルドラインが発生しない良好な成形品を得ることができる射出成形方法及び射出成形機用金型装置を提供することである。
【課題を解決するための手段】
【０００８】
上記目的を達成するために、本発明のうち請求項１記載の発明は、スプルとキャビティとの間に、スプルから分岐した複数のランナを設けると共に、前記複数のランナに夫々続く複数のゲートをキャビティに設け、第１番目のゲートからキャビティ内に充填した溶融材料の流頭が、第２番目のゲートを通過した後に、第２番目のゲートからキャビティ内に溶融材料の注入を開始し、以下順番にこの充填タイミングで降順位のゲートから溶融材料を順次に注入する射出成形方法であって、前記分岐位置にランナ切替用部材が前進・後退可能に配置され、前進位置では１つのランナは開かれており、ランナ切替用部材を後退させることにより閉じられていたランナを開放し、各ゲートの充填タイミングを切替えることを特徴とする。
【０００９】
成形品の離型に際しては、具体的には、ランナ切替用部材をさらに前進させることにより固化した材料を排出させる。
【００１０】
上記構成であれば、成形品離型時に、分岐位置に残留し固化した材料が排出されるので、従来例のように摺動面に入り込んだ残留樹脂に含まれるガラス繊維によって摺動面が摩耗するというを事態を防止することができる。即ち、本発明では、１成形サイクル毎に分岐位置に残留し固化した材料が排出されるので、残留固化した材料に摩耗要因となるガラス繊維が含まれていても、１成形サイクル毎に排出されて、次の成形サイクル時には摩耗要因となるガラス繊維が残留することがない。そのため、摺動面が摩耗することが防がれる。この結果、ウェルドラインが発生しない良好な成形品を得ることができる。
【００１１】
なお、本発明は、固化した材料が、ガラス繊維、炭素繊維、及び無機フィラーの何れかを含む場合に使用するのが好ましいけれども、ガラス繊維等を含有していない場合にもウェルドラインが発生しない良好な成形品を得ることができる。
【００１２】
また、ランナの切替えタイミングは、（１）スクリュの位置を検出する検出手段を設け、この検出手段によってスクリュの位置が予め定めた切換位置に達したときに、ランナ切替用部材を後退させて行うようにしてもよく、（２）ランナ切替えタイミングを計測するタイマを設け、このタイマによって計測されたランナ切替えタイミング時にランナ切替用部材を後退させて行うようにしてもよい。
【００１３】
なお、上記の本発明に係る射出成形方法は、請求項６〜１０に記載の射出成形機用金型装置によって実現される。
【発明の効果】
【００１４】
本発明によれば、ウエルドラインが発生しない良好な成形品が得られるとともに、ガラス繊維、炭素繊維、及び無機フィラーの何れかを含む溶融材料を用いた場合でも、成形品離型時に、分岐位置に残留し固化した材料が排出されるので、残留樹脂に含まれるガラス繊維等によって摺動面が摩耗するというを事態を防止することができる。
【発明を実施するための最良の形態】
【００１５】
（実施の形態１）
図１は本発明の射出成形が使用される金型装置を備えた射出成形機の全体構成を示す図であり、図２は金型装置の断面図であり、図３は図２の一部拡大図であり、図４はランナ切替えの動作を説明するための図であり、図５はランナの分岐経路を示す図であり、図６はキャビティの平面図である。本実施の形態１に係る射出成形機１は、インラインスリクュ式射出装置２と、電動トグル式型締装置３と、制御装置４とから構成されている。射出装置２は電動式射出装置であって、射出用モータ１００及びスクリュ回転駆動用モータ１０１が備えられている。射出用モータ１００の出力軸はボールネジ１０２で構成され、このボールネジ１０２の回転によって射出アクチュエータ１０３が前進・後進するようになっている。この射出アクチュエータ１０３には連結部材１０４が回転可能に連結されており、この連結部材１０４の端部にはスクリュ５が固着されている。このような構成により、射出用モータ１００の回転により、射出アクチュエータ１０３及び連結部材１０４を介して、スクリュ５が加熱筒６の内周面に沿って前後進自在となっている。
【００１６】
また、スクリュ回転駆動用モータ１０１の出力軸には、プーリ１０５が装着されている。このプーリ１０５と、連結部材１０４の外周に装着されているプーリ１０６間には、ベルト１０７が巻き掛けられている。このような構成により、スクリュ回転駆動用モータ１０１の回転駆動力はベルト１０７を介して連結部材１０４に伝達される。この連結部材１０４の回転によって、スクリュ５が加熱筒６の内周面に沿って回転自在となっている。
【００１７】
スクリュ５の回転に伴なって、ホッパ８内に供給された樹脂ペレットはスクリュ５の前方へ送られ、この間に加熱筒６の外周面に取付けられているヒータ（図示せず）による加熱を受けると共に、スクリュ５の回転による混練作用を受けることにより樹脂ペレットが溶融する構成となっている。
【００１８】
スクリュ５の前方へ送られた溶融材料の量が、予め設定された量に達した時点でスクリュ回転駆動用モータ１０１の回転駆動を停止すると共に、射出用モータ１００を駆動してスクリュ５を前進させることにより、スクリュ５前方に貯えられた溶融樹脂は、ノズル９を経由して金型装置の金型キャビティ内へ射出される。
【００１９】
なお、射出アクチュエータ１０３には、ラック１０８が固着されている。このラック１０８に噛合うピニオン１０９の回転軸には、ロータリーエンコーダ１１０が装着されている。このような構成により、スクリュ５の位置がロータリーエンコーダ１１０によって検出され、スクリュ５の位置データは制御装置４に与えられるようになっている。
【００２０】
一方、型締装置３は、固定金型１０を支持する固定盤１１に対し、タイバー１２を介して可動金型１３を支持する可動盤１４を前進・後退自在に設けると共に、金型の開閉および型締めを行う型締め手段としてトグル式型締機構１５をエンドプレート１６を介して可動盤１４に対して取付け、前記トグル式型締機構１５を駆動するための型締用サーボモータ１７が設けられている。この型締用サーボモータ１７の出力軸はボールネジ５１として構成されており、このボールネジ５１に螺合するボールナット５２がトグル式型締機構１５の中央リンクプレート１５ａに連結されている。そして、サーボモータ１７の回転力が、ボールネジ５１の回転力として伝達され、次いで、ボールナット５２を介して直線運動に変換されて、トグル式型締機構１５を駆動するように構成されている。
【００２１】
本実施の形態１における図２に示す金型装置は、３プレート型の金型装置であって、固定金型１０と可動金型１３とからなり、固定金型１０は固定側型板１０ａと固定側取付板１０ｂとから構成され、可動金型１３は可動側型板１３ａと可動側取付板１３ｂとから構成されている。また、固定側型板１０ａと固定側取付板１０ｂとの間には、ランナストリッパプレート１０ｃが介在している。固定側型板１０ａと可動側型板１３ａの間にはキャビティ２０が設けられている。また、このキャビティ２０とスプル２１との間には、図４に示すように、スプル２１から分岐した第１ランナ２３と第２ランナ２４，２４が設けられており、第１ランナ２３は第１ゲートＧ１を介してキャビティ２０に連通して、各第２ランナ２４はそれぞれ第２ゲートＧ２を介してキャビティ２０に連通している。そして、後述するように、第１ランナ２３と第２ランナ２４，２４とを、分岐位置で所定のタイミングで選択的に切替えることにより、各ゲートＧ１，Ｇ２，Ｇ２の充填タイミングの切替えを行うように構成されている。
【００２２】
本実施の形態では、ランナの切替えは、ランナ切替用部材２５の前進・後退により行うようになっている。具体的に説明すると、固定側型板１０ａには、スプル２１の先端部（図２、図３の左側端部）が挿入している穴２６が形成されている。穴２６は、角穴であっても、丸穴であってもよい。この穴２６は、小径部２６ａと、大径部２６ｂとからなり、この穴２６内をランナ切替用部材２５が挿通している。このランナ切替用部材２５は、穴２６に対応して、小径部２６ａとほぼ同様の小径部２５ａと、大径部２６ｂとほぼ同様の大径部２５ａとからなる。そして、この穴２６の大径部２６ｂには、第１ランナ２３と第２ランナ２４，２４とが連通している。第１ランナ２３の連通口と、第２ランナ２４，２４の連通口とは、図４（２）、（４）に示すように穴２６の周方向に９０度ずれた位置に形成されている。
【００２３】
そして、ランナ切替用部材２５が前進位置（図４（１）、（２））に位置するときには、ランナ切替用部材２５の大径部２５ｂによって、第２ランナ２４，２４の連通口が閉じられた状態となるため、溶融材料は第１ランナ２３のみを流れる。
【００２４】
ランナ切替用部材２５が後退位置（図４（３）、（４））に位置するときには、第２ランナ２４，２４の連通口が開かれた状態となるため、溶融材料は第１ランナ２３に加えて、第２ランナ２４，２４にも流れる。これにより、溶融材料が、第１ゲートＧ１からの充填に加えて、第２ゲートＧ２，Ｇ２からも充填されることになり、この結果、ウェルドラインのない成形品が得られることになる。
【００２５】
また、可動側型板１３ａは一対のスペーサブロック３０を介して可動側取付板１３ｂに固定されている。スペーサブロック３０は、段差面３０ａを有する段差状に形成されている。この一対のスペーサブロック３０の内方側でかつ、可動側型板１３ａと可動側取付板１３ｂとの間には、エジェクタプレート３１が配設されている。エジェクタプレート３１は、プレート部３１Ａと、プレート部３１Ａに固着されたプレート部３１Ｂとからなる。このエジェクタプレート３１には、成形品用エジェクタピン３４と、リターンピン３５とが固着されている。リターンピン３５の外周には、コイルバネ３５ａが装着されており、このコイルバネ３５ａによって、エジェクタプレート３１は、その後端面（図２の左端面）がスペーサブロック３０の段差面３０ａに当接するように付勢されている。
【００２６】
また、エジェクタプレート３１とリンク部材３２Ａ間には、一対のコイルバネ３３が介装されており、このコイルバネ３３によってリンク部材３２Ａは可動側取付板１３ｂ側に向けて付勢されている。このリンク部材３２Ａの両端部には図２の左右方向に延びるリンク部材３２Ｂの一端部がそれぞれ固着されており、このリンク部材３２Ｂの他端部にはリンク部材３２Ｃが固着されている。このリンク部材３２Ｃには、ランナ切替用部材２５が固着されている。そして、リンク部材３２Ａの後端面（図２の左端面）には、エジェクタロッド３７の先端が当接可能となっている。従って、エジェクタロッド３７の前進により、リンク部材３２Ａが前進すると、リンク部材３２Ｃを介してランナ切替用部材２５が前進し、スプル２１と第１ランナ２３とが連通状態で、スプル２１と第２ランナ２４，２４とはランナ切替用部材２５によって遮断状態とすることができる。また、エジェクタロッド３７の後退により、コイルバネ３３のバネ力によって、リンク部材３２Ａが可動側取付板１３ｂに接触する位置まで後退すると、リンク部材３２Ｃを介してランナ切替用部材２５も後退し、スプル２１と第１ランナ２３との連通状態に加えて、スプル２１と第２ランナ２４，２４とが連通状態とすることができる。
【００２７】
また、可動側取付板１３ｂの中央部には挿通孔３６が形成されており、この挿通孔３６をエジェクタロッド３７が挿通している。このエジェクタロッド３７は電動式エジェクタ駆動機構３８によって前後進方向（図１の左右方向）に移動自在となっている。
【００２８】
電動式エジェクタ駆動機構３８はサーボモータ４０を有している。このサーボモータ４０の出力軸はボールネジ４１として構成されており、このボールネジ４１に螺合するボールナット４２が連結部材４３を介して可動盤４４に連結されている。そして、可動盤４４には前記エジェクタロッド３７が固着されている。なお、サーボモータ４０はサーボモータ用コントローラ４５によって正転・逆転が制御されている。そして、サーボモータ４０の回転力が、ボールネジ４１の回転力として伝達され、次いで、ボールナット４２を介して直線運動に変換されて、可動盤４４を駆動し、エジェクタロッド３７が前後進できるように構成されている。なお、図２において、２００はランナロックピンである。
【００２９】
また、この射出成形法で使用されるプラスチック材料としては、従来から使用されている射出成形可能な全ての種類の材料が使用できる。これらには、低密度ポリエチレン、ポリエチレン−酢酸ビニルコポリマーなど各種エチレンコポリマー、高密度ポリエチレン、ポリプロピレン、一般用ポリスチレン、高衝撃ポリスチレン、ＡＳ樹脂、ＡＢＳ樹脂、ポリメチルメタクリレート、ポリ塩化ビニル、各種ポリアミド例えばナイロン６、ナイロン６６、ナイロン４６、ナイロン６１０、ナイロン１１、ナイロン１２、ナイロン６Ｔ、ナイロンＭＸＤ６など、ポリカーボネート、ポリブチレンテレフタレート、ポリエチレンテレフタレート、変性ポリフェニレンエーテル、ポリアセタール、フッ素樹脂、ポリフェニレンサルファイド、ポリアリレート、ポリサルホン、ポリエーテルサルホン、ポリエーテルエーテルケント、ポリアミドイミド、ポリイミド、液晶ポリマー（ＬＣＰ）などがある。また、これらをベースにしたポリマーアロイ、例えばポリカーボネート／ＡＢＳ、ナイロン６／ＡＢＳ、ポリブチレンテレフタレート／ＡＢＳ、ナイロン６／変形ポリエチレン、ポリアセタール／熱可塑性ポリウレタン、ナイロン６６／ポリフェニレンエーテル、ポリカーボネート／ポリブチレンテレフタレートなどが使用できる。
【００３０】
さらに、これらのプラスチックやポリマーアロイに強化用繊維例えばガラス繊維、炭素繊維、無機フィラーなどを配合した材料が用いられる。例えば、ガラス繊維強化ポリプロピレン、ガラス繊維強化ＡＢＳ、ガラス繊維強化ポリアミド、ガラス繊維強化ポリカーボネート、ガラス繊維強化ポリエチレンテレフタレート、ガラス繊維強化ポリブチレンテレフタレート、ガラス繊維強化ポリカーボネート／ＡＢＳなどがある。
【００３１】
無機フィラー の例としては、炭素材料、および金属（例えば、アルカリ金属、アルカリ土類金属、遷移金属等）の酸化物、水酸化物、炭酸塩、硫酸塩、珪酸塩、窒化物（例えば、窒化アルミニウム、窒化ホウ素、窒化ケイ素）などが挙げられる。これらは、単独で、または２種またはそれ以上の混合物として使用することができる。
【００３２】
酸化物としては、例えば、シリカ、珪藻土、アルミナ、酸化亜鉛、酸化チタン、酸化カルシウム、酸化マグネシウム、酸化鉄、酸化スズ、酸化アンチモン、フェライト類が挙げられる。
【００３３】
水酸化物としては、例えば、水酸化カルシウム、水酸化マグネシウム、水酸化アルミニウム、塩基性炭酸マグネシウムが挙げられる。
【００３４】
炭酸塩としては、例えば、炭酸カルシウム、炭酸マグネシウム、炭酸亜鉛、炭酸バリウム、ドーソナイト、ハイドロタルサイトが挙げられる。
【００３５】
硫酸塩としては、硫酸カルシウム、硫酸バリウム、石膏繊維が挙げられる。
【００３６】
珪酸塩としては、例えば、珪酸カルシウム（ウォラストナイト、ゾノトライト）、タルク、クレー、マイカ、モンモリロナイト、ペントナイト、活性白土、セピオライト、イモゴライト、セリサリト、ガラスビーズ、シリカ系バルンが挙げられる。
【００３７】
窒化物としては、例えば、窒化アルミニウム、窒化ホウ素、窒化ケイ素が挙げられる。
【００３８】
その他の無機フィラー としては、例えば、各種金属粉、チタン酸カリウム、ＭＯＳ（商品名）、チタン酸ジルコン酸鉛、アルミニウムポレート、硫化モリブデン、炭化ケイ素、ステンレス繊維、各種磁性粉、スラグ繊維が挙げられる。
【００３９】
さらに、この成形法は各種熱可塑性エラストマー、例えばポリエステルエラストマー、ポリウレタンエラストマー、ポリアミドエラストマー、ポリオレフィンエラストマー、ポリスチレンエラストマーなどが使用できる。また、射出成形可能な熱硬化性プラスチック例えばフェノール樹脂、不飽和ポリエステル樹脂（ＢＭＣ）なども使用できる。
【００４０】
図７は実施の形態１の成形サイクルを示すフローチャートである。図７を参照して、成形サイクルの動作について説明する。なお、ランナの切替えはエジェクタロッド３７の前進・後進駆動により行うものである。
【００４１】
先ず、型閉工程が行われる（ステップＳ１）。そして、型閉が完了すると、エジェクタロッド３７が前進駆動を開始する（ステップＳ２）。なお、初期状態では、リンク部材３２Ａはコイルバネ３３によって可動側取付板１３ｂに接触した状態となっており、このような状態でエジェクタロッド３７の前進によってリンク部材３２Ａが押圧され、リンク部材３２Ａは前進する。そして、リンク部材３２Ａがエジェクタプレート３１に当接すると、エジェクタロッド３７は前進駆動を停止する（ステップＳ３）。また、リンク部材３２Ｃに固着されたランナ切替用部材２５が図２の状態で停止し、これにより第１ランナ２３のみが選択された状態となる。
【００４２】
このような状態で、射出工程が開始される（ステップＳ４）。これにより、溶融樹脂がスプル２１→第１ランナ２３→第１ゲート２３Ｇ→キャビティ２０を辿り、キャビティ２０に充填されていく。また、射出開始ともに、スクリュ５の位置がロータリーエンコーダ１０２によって計測される。そして、スクリュ５が切換位置（或いは予め設定された指定位置）に達すると、エジェクタロッド３７を後退させる（ステップＳ５）。なお、このスクリュ５が切換位置（或いは予め設定された指定位置）に達した時点は、第１ゲートＧ１からキャビティ２０内に充填された溶融樹脂の流頭が、図６のラインＬ１で示すように第２ゲートＧ２を通過した直後である。
【００４３】
エジェクタロッド３７の後退により、リンク部材３２Ａはコイルバネ３３の付勢力によって後退し、これに同伴してランナ切替用部材２５も後退する。そして、リンク部材３２Ａの後端面が可動側取付板１３ｂの前面に当接し、リンク部材３２Ａの後退が停止する。これにより、ランナ切替用部材２５は図３の状態から後退し、スプル２１と第１ランナ２３との連通状態に加えて、スプル２１と第２ランナ２４，２４とが連通状態となる。この結果、第１ゲートＧ１から注入された溶融材料の流れに加えて第２ゲートＧ２，Ｇ２から注入される新たな溶融材料の流れにより付勢されて充填されることになり、この結果、ウェルドラインの発生を防止すると共に、キャビティには充分な流動性と流動圧で充填されることにより、ヒケ等の不良をなくした成形品を得ることができる。
【００４４】
次いで、保圧終了後、冷却工程（ステップＳ６）を経て、型開工程（ステップＳ７）となる。この型開工程においては、先ず、ランナストリッパプレート１０ｃと固定側型板１０ａの合わせ面が開かれ、次いで、可動側型板１３ａと固定側型板１０ａの合わせ面が開かれる。
【００４５】
次いで、成形品の突き出し工程（ステップＳ８）となる。この突き出し工程においては、エジェクタロッド３７が前進し、リンク部材３２Ａの前面がエジェクタプレート３１に当接し、この状態でさらに前進する。これにより、エジェクタプレート３１が前進する。この結果、成形品用エジェクタピン３４が前進して、成形品が突き出される。この際、リンク部材３２Ｃも前進し、リンク部材３２Ｃに固着されていランナ切替用部材２５も前進し、この結果、分岐位置に残留し固化した材料（固化材料はガラス繊維、炭素繊維、及び無機フィラーを含む）は、成形品と伴に突き出されて排出される。従って、摩耗要因となるガラス繊維、炭素繊維、無機フィラーは、成形サイクル毎に突き出されて排出されことになり、従来技術のように摩耗要因が生じることがなく、耐磨耗性が向上する。その後、成形品用エジェクタピン３４は後退して元の状態に復帰する。そして、ステップＳ１に戻り、次の成形サイクルに移る。
【００４６】
上記の例では、ランナ切替えタイミングをロータリーエンコーダ１１０によるスクリュの位置を計測することにより行ったけれども、タイマを用いて射出開始からタイマで計測してタイムアウトでランナ切替用部材２５を後退させるようにしてもよい。
【００４７】
なお、スプル２１、第１ランナ２３および第２ランナ２４，２４によって構成される溶融材料の供給経路は、図５に限られものではない。即ち、図５では、スプル２１に対して距離ａだけ偏心した位置に成形品３００の中心がくる場合の例であったけれども、図８に示すように、スプル２１の中心と成形品３００の中心を同一にするような場合であってもよい。
【００４８】
（実施の形態２）
図９は実施の形態２に係る金型装置の断面図であり、図１０はランナの分岐経路を示す図であり、図１１はキャビティ内に溶融材料が充填されていく状態を示す図である。上記実施の形態１では、第１ゲートＧ１および第２ゲートＧ２，Ｇ２はキャビティ２０の上部に設けられたけれども、本実施の形態２では第１ゲートＧ１および第２ゲートＧ２，Ｇ２はキャビティ２０の側方に設けられた、所謂サイドゲート型の金型装置が使用される。本実施の形態２では、ランナ切替用部材２５が挿入される穴２６は可動側型板１３ａに形成されている。ランナ切替用部材２５はエジェクタプレート３２に固着されている。なお、エジェクタプレート３２は、プレート部３２Ａとプレート部３２Ｂとからなる。このエジェクタプレート３２には、ガイドピン４０が固着されている。
【００４９】
本実施の形態２では、スプル２１から共通ランナ４９を経て、ランナ分岐部Ａに導かれ、このランナ分岐部Ａ（図１０参照）において、第１ランナ２３および第２ランナ２４，２４に分岐するようになっている。なお、図９において、５０はパーティングロックセット、５１は引張りリンクである。
【００５０】
このような構成の金型装置における溶融材料の充填動作は、基本的には実施の形態１と同様である。以下、その動作の概要を説明する。先ず、エジェクタロッド３７が前進し、エジェクタプレート３２に当接した後、さらにエジェクタロッド３７が前進すると、エジェクタプレート３２も前進する。これにより、ランナ切替用部材２５も前進し、エジェクタロッド３７が前進を停止したとき、ランナ切替用部材２５は図９に示す状態となり、第１ランナ２３のみが選択された状態となる。これにより、溶融材料は、スプル２１→共通ランナ４９→第１ランナ２３→第１ゲートＧ１を経てキャビティ２０内に流れ込む（図１１（１）参照）。次いで、スクリュ５が切換位置に達すると、エジェクタロッド３７が後退し、これにより、ランナ切替用部材２５も後退し、スプル２１と第１ランナ２３との連通状態に加えて、スプル２１と第２ランナ２４，２４とが連通状態となる。これにより、第２ゲートＧ２，Ｇ２からも溶融材料が充填されていく（図１１（２）参照）。そして、キャビティ２０内が溶融材料で完全に充填されると（図１１（３）参照）、射出工程が終了する。
【００５１】
（実施の形態３）
図１２は実施の形態３に係る金型装置の断面図であり、図１３はランナの分岐経路を示す図である。本実施の形態３は、２プレート型金型装置を使用すること、及び、成形品を２個取りするために分離した２つのキャビティ２０Ａ，２０Ｂを使用することを特徴とするものである。ランナ分岐部Ａは、上記実施の形態１と同様にスプル２１の先端に設けられている。ランナ分岐部Ａにおいて、穴２６に挿入するランナ切替用部材２５はエジェクタプレート３２に固着されている。従って、エジェクタロッド３７の前進・後退によるランナ切替用部材２５の前進・後退によって、ランナの切替えが制御される。なお、ランナ切替えのタイミングは、上記実施の形態１、２と基本的に同様である。
【００５２】
（実施の形態４）
図１４は実施の形態４に係るランナの分岐経路を示す図であり、図１５は図１４の矢視Ｘ−Ｘ断面図であり、図１６はキャビティ内に溶融材料が充填されていく状態を示す図である。本実施の形態４は、厚肉部７０と薄肉部７１とからなる成形品を成形する場合の例である。第１ゲートＧ１はキャビティ２０の一辺７２に備えられ、第２ゲートＧ２はキャビティ２０の一辺７２と隣り合う一辺７３に備えられている。
【００５３】
第１ゲートＧ１から溶融材料が充填され、その溶融材料の流頭が、第２ゲートＧ２を通過した後に、第２ゲートＧ２からキャビティ２０内に溶融材料の注入を開始すると、図１６（１）の状態、図１６（２）の状態、図１６（３）の状態と、充填されていく。従って、ウェルドの発生を防止できる。
【００５４】
なお、参考までに述べると、ゲートが１個の場合には、図１７（１）の状態、図１７（２）の状態、図１７（３）の状態と、充填されていく。従って、ウェルド２５０が発生する。本実施の形態４では、このような厚肉部７０と薄肉部７１とからなる成形品においてウェルドの発生を防止することができるという効果を奏する。
【００５５】
（実施の形態５）
図１８は実施の形態５に係る金型装置の一部を示す図であり、図１９は実施の形態５に係る金型装置におけるランナ切り替えの駆動機構を示す図である。本実施の形態５は、成形品の形状が大きく、また成形品の形状によりゲート位置が対称位置に設けられない場合の射出成形法の例である。上記実施の形態１〜４では、油圧エジェクタロッド３７により、ランナ切替用部材２５を前・後進して使用したが、本例では金型内にアクチュエータを設けてランナ切替用部材２５を前進・後退させる方式とした。アクチュエータは油圧シリンダ、空圧シリンダ、機械的機構等で行うこともある。この例では、一対のアクチュエータ８０ａ，８０ｂのロッドがランナ切替用部材２５Ａ，２５Ｂを夫々駆動する構成となっている。
【００５６】
溶融材料の注入に際しては、先ず、アクチュエータ８０ａ，８０ｂが図１９に示す前進位置にあり、第１ランナ２３のみが選択され、溶融材料は第１ランナ２３を介して第１ゲートＧ１から充填される。次いで、アクチュエータ８０ａを後退させると、第１ランナ２３及び第２ランナ２４ａが選択され、溶融材料は第１ランナ２３を介して第１ゲートＧ１から充填されることに加えて、第２ランナ２４ａを介して第２ゲートＧ２からも充填される。さらに、アクチュエータ８０ｂを後退させると、第１ランナ２３、第２ランナ２４ａ及び第２ランナ２４ｂが選択され、第１ランナ２３を介して第１ゲートＧ１からの充填、第２ランナ２４ａを介して第２ゲートＧ２からの充填に加えて、第２ランナ２４ｂを介して第３ゲートＧ３からも充填される。
【００５７】
このようにして、タイミングを変えて多段に充填することにより、ゲート位置が対称位置に設けられない場合においても、ウェルドラインのない良好な成形品を得ることができる。
【００５８】
なお、この例では、２段構成であったけれども、勿論３以上の複数段構成も可能である。
【００５９】
（その他の事項）
（１）上記実施の形態では、射出装置２としては電動式射出成形装置を用いたけれども、油圧式射出成形装置を用いてもよい。また、型締装置３としては電動トグル式型締装置を用いたけれども、電動直圧式型締装置、油圧トグル式型締装置、及び、油圧直圧式型締装置のいずれを用いてもよい。
【産業上の利用可能性】
【００６０】
本発明は、溶融材料の充填孔を複数有する多点ゲート式の金型を用いて、比較的薄肉で大型な樹脂成形品の成形を行うに適した射出成形方法および射出成形機用金型装置に、好適に実施することができる。特に、溶融材料としては、ガラス繊維、炭素繊維及び無機フィラーの何れかを含む場合に最適である。
【図面の簡単な説明】
【００６１】
【図１】本発明の射出成形が使用される金型装置を備えた射出成形機の全体構成を示す図である。
【図２】実施の形態１に係る金型装置の断面図である。
【図３】図２の一部拡大図である。
【図４】ランナ切替えの動作を説明するための図であって、図４（１）（２）はランナ切替用部材が前進位置にある場合、図４（３）（４）はランナ切替用部材が後退位置にある場合を示す。
【図５】実施の形態１に係る金型装置におけるランナの分岐経路を示す図である。
【図６】実施の形態１に係る金型装置におけるキャビティの平面図である。
【図７】実施の形態１の成形サイクルを示すフローチャートである。
【図８】実施の形態１に係る金型装置におけるランナの分岐経路の変形例を示す図である。
【図９】実施の形態２に係る金型装置の断面図である。
【図１０】実施の形態２に係る金型装置におけるランナの分岐経路を示す図である。
【図１１】実施の形態２に係る金型装置のキャビティ内に溶融材料が充填されていく状態を示す図である。
【図１２】実施の形態３に係る金型装置の断面図である。
【図１３】実施の形態２に係る金型装置におけるランナの分岐経路を示す図である。
【図１４】実施の形態４に係るランナの分岐経路を示す図である。
【図１５】図１４の矢視Ｘ−Ｘ断面図である。
【図１６】実施の形態４に係る金型装置のキャビティ内に溶融材料が充填されていく状態を示す図である。
【図１７】ゲートが１個数の場合に、キャビティ内に溶融材料が充填されていく状態を示す図である。
【図１８】実施の形態５に係る金型装置の一部を示す図である。
【図１９】実施の形態５に係る金型装置におけるランナ切り替えの駆動機構を示す図である。
【符号の説明】
【００６２】
２０：キャビティ
２１：スプル
２３：第１ランナ
２４：第２ランナ
２５：ランナ切替用部材
２６：穴
３１，３２：エジェクタプレート
３７：エジェクタロッド
Ｇ１：第１ゲート
Ｇ２：第２ゲート
Ｇ３：第３ゲート
Ａ：ランナ分岐部
【図１】
2005178037.tif 000003
【図２】
2005178037.tif 000004
【図３】
2005178037.tif 000005
【図４】
2005178037.tif 000006
【図５】
2005178037.tif 000007
【図６】
2005178037.tif 000008
【図７】
2005178037.tif 000009
【図８】
2005178037.tif 000010
【図９】
2005178037.tif 000011
【図１０】
2005178037.tif 000012
【図１１】
2005178037.tif 000013
【図１２】
2005178037.tif 000014
【図１３】
2005178037.tif 000015
【図１４】
2005178037.tif 000016
【図１５】
2005178037.tif 000017
【図１６】
2005178037.tif 000018
【図１７】
2005178037.tif 000019
【図１８】
2005178037.tif 000020
【図１９】
2005178037.tif 000021